(57)【要約】      （修正有）【課題】リールのロック解除、あるいはロック時にリール押さえが傾動するのを阻止して、ロック不良やロック解除不良を解消する単リール型テープカートリッジを提供する。【解決手段】本体ケース１の内部に、テープ３を巻き込み収納する１個のリール２と、不使用時のリール２を回転不能にロック保持するリールロック機構とを配置し、リールロック機構は、上ケース１ａに上下スライド可能に案内支持されるリール押さえ２３と、リール押さえ２３を押し下げ付勢するばね２４と、リール押さえ２３とリールボスの底壁とに形成される上下のロック歯２５・２６とを含む。リール押さえ２３の下面には、テープドライブ側の駆動軸Ｄに設けた解除ピン１７でロック解除操作される軸状突起３３を設ける。軸状突起３３には規制穴３７を形成し、解除ピン１７に設けた傾動規制軸２１との嵌係合により、リール押さえ２３の傾動を規制してロック不良やロック解除不良を解消する。【選択図】        図１
2004288302.tif 000002
【特許請求の範囲】
【請求項１】
上下ケースを蓋合わせ状に接合してなる本体ケースの内部に、磁気信号を記録するテープと、前記テープを巻き込み収納する１個のリールと、不使用時の前記リールを回転不能にロック保持するリールロック機構とが配置されており、
前記リールロック機構は、前記上ケースの内面に設けたガイド体で上下スライドのみ可能に案内支持されるリール押さえと、前記上ケースと前記リール押さえとの間に設けられて、前記リール押さえを押し下げ付勢する圧縮コイル形のばねと、前記リール押さえとリールボスの底壁との対向面に形成されて互いに係合する上下のロック歯とを含み、
前記リール押さえの下面には、テープドライブ側の駆動軸に設けた解除ピンでロック解除操作される軸状突起が形成されており、
前記軸状突起は、上下の前記ロック歯が互いに係合するロック状態において、前記リールボスの底壁に形成したピン通口を介してリール下面に臨んでおり、
前記軸状突起に、解除ピンの上端に突設した傾動規制体と嵌係合する被規制部が形成されており、
前記傾動規制体と前記被規制部とが嵌係合して前記リール押さえの傾動が規制されていることを特徴とする単リール型テープカートリッジ。
【請求項２】
前記傾動規制体が軸状に形成され、前記被規制部が穴状に形成してある請求項１記載の単リール型テープカートリッジ。
【発明の詳細な説明】
【０００１】
【発明の属する技術分野】
本発明は、コンピュータ用のデーターレコーダー用の磁気記録媒体に代表される単リール型テープカートリッジに関し、なかでもリールボスの内底と上ケースとの間にリールロック機構が設けられている形式のテープカートリッジを対象とする。
【０００２】
【従来の技術】
単リール型のテープカートリッジにおいて、本体ケースの上ケースとリールボスの底壁との間にリールロック機構を設けることは、公知である（特許文献１参照）。そこでは、上ケースで上下スライドのみ可能に案内支持されるリール押さえと、リース押えを押し下げ付勢する圧縮コイル形のばねと、リール押さえとリールボスの底壁との対向面に形成されて互いに係合する上下のロック歯などでリールロック機構が構成されている。リール押さえの下面には、テープドライブ側の駆動軸で押し上げ操作される操作軸を一体に設けてあり、この操作軸はリールボスの底壁に開口したロック解除具の挿入穴を介してリール下面に臨んでいる。別のテープカートリッジにおいて、リール押さえとリールボスの底壁との間に、ロック解除具を配置する形態のリールロック機構もある（特許文献２参照）。
【０００３】
【特許文献１】
特開平１１−１４９７４９号公報（段落番号００１５、図３）
【特許文献２】
特開２００２−１９０１７７号公報（段落番号００１５、図４）
【０００４】
【発明が解決しようとする課題】
特許文献１のリールロック機構では、テープドライブ側の駆動軸で操作軸を押し上げ操作して、リール押さえとリールボスの底壁との対向面に形成したロック歯の係合を解除し、その状態を維持したままでリールを駆動軸で回転駆動する構造になっている。リール押さえは、上ケースの内面に設けたガイド軸で上下スライドのみ自在に案内支持されているが、リール押さえとガイド軸との間に大きな遊動隙間があるので、リール押さえがリールに対して傾動する余地がある。
【０００５】
そのため、リールをロック解除操作するとき、あるいはリール押さえをロック姿勢に戻すとき、リール押さえのロック歯と、リールボスのロック歯とが、リール押さえの傾斜下端側で部分的に接当して異音を発生したり、あるいは上下のロック歯が円滑に噛み合わないことがある。最悪の場合には、ロック解除が不十分なままでリールが回転駆動されるような状況も想定され、こうした場合には、テープに異常な張力が作用して伸び変形するのを避けられない。特許文献２のリールロック機構においても事情は変らない。
【０００６】
本発明の目的は、リールをロック解除操作するとき、あるいはリール押さえをロック姿勢に戻すとき、リール押さえが傾動するのを阻止し、以てリール押さえの傾動に伴うロック不良やロック解除不良を解消して、異音の発生やテープの伸び変形がない、信頼性に優れた単リール型のテープカートリッジを提供することにある。本発明の目的は、リール押さえの一部の構造を変更するだけで、傾動に伴うロック不良やロック解除不良を解消でき、従って機能向上に伴うコスト増加を最小限化して、単リール型のテープカートリッジをより低コストで提供することにある。
【０００７】
【課題を解決するための手段】
本発明のテープカートリッジは、上下ケース１ａ・１ｂを蓋合わせ状に接合してなる本体ケース１の内部に、磁気信号を記録するテープ３と、テープ３を巻き込み収納する１個のリール２と、不使用時のリール２を回転不能にロック保持するリールロック機構とが配置されている。
【０００８】
そのリールロック機構は、上ケース１ａの内面に設けたガイド体２２で上下スライドのみ可能に案内支持されるリール押さえ２３と、上ケース１ａとリール押さえ２３との間に設けられて、リール押さえ２３を押し下げ付勢する圧縮コイル形のばね２４と、リール押さえ２３とリールボス１１の底壁との対向面に形成されて互いに係合する上下のロック歯２５・２６とを含む。リール押さえ２３の下面には、テープドライブ側の駆動軸Ｄに設けた解除ピン１７でロック解除操作される軸状突起３３を形成する。軸状突起３３は、上下のロック歯２５・２６が互いに係合するロック状態において、リールボス１１の底壁に形成したピン通口１３を介してリール２の下面に臨んでいる。軸状突起３３に、解除ピン１７の上端に突設した傾動規制体２１と嵌係合する被規制部３７が形成されている。以て、傾動規制体２１と被規制部３７とが嵌係合してリール押さえ２３の傾動を規制できることを特徴とする。傾動規制体２１は軸状に形成し、被規制部３７は穴状に形成することができる。
【０００９】
【発明の作用効果】
本発明では、リール押さえ２３と、リール押さえ２３を押し下げ付勢する圧縮コイル形のばね２４と、リール押さえ２３とリールボス１１の底壁との対向面に形成した上下のロック歯２５・２６などでリールロック機構を構成した。そのうえで、リール押さえ２３の下面に、駆動軸Ｄの解除ピン１７でロック解除操作される軸状突起３３を形成し、軸状突起３３に解除ピン１７の傾動規制体２１と嵌係合する被規制部３７を形成することにより、リールロック機構を駆動軸Ｄでロック解除操作するとき、あるいはロック状態に戻すとき、傾動規制体２１と被規制部３７とが嵌係合してリール押さえ２３の傾動を規制できるようにしてある。
【００１０】
詳しくは、ロック解除時に、傾動規制体２１と被規制部３７とが他に先行して嵌係合することにより、リール押さえ２３が傾動するのを確実に防止した状態でリール２をロック解除操作できる。さらにリールロック時には、傾動規制体２１と被規制部３７とが嵌係合して、リール押さえ２３の傾動を規制した状態のままで、上下のロック歯２５・２６を適正に係合させ、ロック不良を解消できる。従って、本発明によれば、リール２をロック解除操作するとき、あるいはリール押さえ２３をロック姿勢に戻すときに、リール押さえ２３の傾動に伴うロック不良やロック解除不良を解消でき、ロック解除不良等に伴う異常音の発生や、テープの伸び変形を解消して単リール型テープカートリッジの信頼性を向上できる。
【００１１】
リール押さえ２３の軸状突起３３に被規制部３７を設け、駆動軸Ｄに傾動規制体２１を設けるだけで、リール押さえ２３の傾動に伴うロック不良やロック解除不良を解消できるので、機能向上に伴うコスト増加を最小限化して、単リール型テープカートリッジをより低コストで提供することができる。
【００１２】
傾動規制体２１を軸状に形成し、被規制部３７を穴状に形成したリールロック機構によれば、傾動規制体２１を穴状に形成し、被規制部３７を軸状に形成する場合に比べて軸状突起３３を小径化できるので、その分だけ吸着リング１４の面積を大きくして、駆動軸Ｄからリール２への動力伝動が確実に行える。
【００１３】
【実施例】
図１ないし図５は本発明に係る単リール型テープカートリッジの実施例１を示す。図２においてテープカートリッジは、上下ケース１ａ・１ｂを蓋合わせ状に接合してなる角箱状の本体ケース１を有し、その内部に配置した１個のリール２に、磁気信号を記録するテープ（磁気テープ）３が巻き込んである。本体ケース１の一側前隅にはテープ引出口４が開口しており、その内方にリーダーブロック５が保持固定され、テープ３の繰り出し端が固定されている。リーダーブロック５をテープドライブ側のローディング部材で捕捉しローディング操作することにより、テープ３をテープドライブ側に引き渡すことができる。符号６は誤消去防止具であり、これを回転操作することにより、書き込み可能な状態と、書き込み不能な状態とに切り換えることができる。
【００１４】
図３においてリール２は、下フランジ１０が一体に成形したリールボス１１と、リールボス１１に溶着固定される上フランジ１２とからなる。リールボス１１の底壁の中央には、通口１３を上下貫通状に形成してあり、底壁下面の通口１３の周囲に吸着リング１４が固定され、その外方に駆動歯１５が周回状に形成されている（図５参照）。
【００１５】
図４においてテープドライブ側の駆動軸Ｄには、通口１３、吸着リング１４、駆動歯１５に対応して、解除ピン１７、磁石１８、ギヤ歯１９が同心円状に設けられている。解除ピン１７の上部には、後述するリール押さえ２３を押し上げ操作する段部２０と、解除ピン１７の軸部分より小径の傾動規制軸（傾動規制体）２１とを設けてある。
【００１６】
不使用時のテープたるみを防ぎ、さらにリール２の遊動を防ぐために、上ケース１ａとリールボス１１の内底との間には、リールロック機構が配されている。図３および図４においてリールロック機構は、上ケース１ａの内面に設けた平板状のガイド体２２で上下スライドのみ可能に案内支持されるリール押さえ２３と、上ケース１ａとリール押さえ２３との間に設けられて、リール押さえ２３を押し下げ付勢する圧縮コイル形のばね２４と、リール押さえ２３とリールボス１１の底壁との対向面に形成されて互いに係合する上下のロック歯２５・２６とを含んでいる。
【００１７】
リール押さえ２３は円盤状のベース２９と、ベース２９の周縁から上向きに突設される筒壁３０とで丸皿状に形成してあり、ベース２９の上面に先のガイド体２２に係合する長円状のボス（回動規制体）３１と、ばね２４の下端を受け止めるばね受座３２とが一体に形成されている。
【００１８】
ベース２９の下面中央と下面周縁寄りとには、軸状突起３３と環状のリング壁３４とをそれぞれ突設してあり、リング壁３３の下面に先のロック歯２５を形成してある。同様に、リールボス１１の底壁にロック歯２５と対向するリング壁３５を突設し、その上面にロック歯２６を形成してある。ボス３１を上ケース１ａのガイド体２２と係合することにより、リール押さえ２３を回転不能な状態で上下動可能に支持できる。
【００１９】
軸状突起３３は、リールボス１１の底壁に形成した通口１３より小径の丸軸からなり、その内部に傾動規制軸２１と嵌合する規制穴（被規制部）３７を形成してある。傾動規制軸２１と規制穴３７との嵌め合いは、基本的に隙間ばめとするが、傾動規制軸２１の係脱動作を円滑に行える範囲内で両者間の隙間寸法がなるべく小さくなるように設定する。
【００２０】
規制穴３７の開口縁には、傾動規制軸２１の進入係合を円滑化するガイド面３８を形成する。図４に示すように不使用時のリール２は、リール押さえ２３を介してばね２４の押し下げ力を受け、下フランジ１０およびリールボス１１の底面が下ケース１ｂで受け止められ、上下のロック歯２５・２６どうしが噛み合ってリール２を回転不能にロックしている。このロック状態において、軸状突起３３の下部は通口１３内に入り込んで、通口１３を塞いでいる。
【００２１】
使用状態においては、駆動軸Ｄの最上部に位置する傾動規制軸２１が他の部材に先行して規制穴３７と係合し、次に段部２０が軸状突起３３の下端面に接当して、リール押さえ２３をばね２４の付勢力に抗して押し上げ操作する。これにより、上下のロック歯２５・２６の係合が解除され、リール２は回転自在なロック解除状態になる。駆動軸Ｄはさらに押し上げ操作され、その磁石１８が吸着リング１４と密着し、ギヤ歯１９が駆動歯１５と係合した状態のままで、リール２の全体を押し上げて下ケース１ｂから分離させる（図１参照）。
【００２２】
この状態でリール２を回転駆動することにより、本体ケース１からテープ３を繰り出すことができる。なお、使用状態においては、傾動規制軸２１と規制穴３７との間か、解除ピン１７と駆動軸Ｄとの間のいずれかで回転摩擦を吸収する必要があるが、解除ピン１７と駆動軸Ｄとの間で回転摩擦を吸収すると、規制穴３７の摩耗をよく防止できる。
【００２３】
上記のように、規制穴３７に傾動規制軸２１が嵌合する状態でリール押さえ２３を押し上げ操作すると、リール２を駆動軸Ｄで浮動支持する過程でリール押さえ２３が傾動するのを確実に防止して、リール押さえ２３の傾動に伴うロック解除不良を解消できる。テープ３を巻き戻してリール２を再びロックするときは、先に説明したロック解除手順を逆に辿って、上下のロック歯２５・２６どうしが噛み合うことでリール２をロック保持する。この場合にも、規制穴３７と傾動規制軸２１とは、最後まで嵌合状態を維持し続ける。
【００２４】
従って、リール２が再びロック保持される過程でリール押さえ２３が傾動するのを確実に防止でき、リール押さえ２３の傾動に伴うロック不良を解消できる。つまり、リール押さえ２３の傾動に伴うロック解除不良やロック不良を解消できるので、リールロック機構が切り換えられるときの異音音の発生や、テープの伸び変形を解消でき、その分だけ単リール型テープカートリッジの信頼性が向上する。
【００２５】
リール押さえ２３の軸状突起３３に規制穴３７を付加形成し、さらに駆動軸Ｄの解除ピン１７に傾動規制軸２１を設けるだけの構造変更でリール押さえ２３の傾動を規制できるので、機能向上に伴うコスト増加を最小限化して、単リール型テープカートリッジをより低コストで提供できる利点もある。
【００２６】
上記以外に、ガイド体２２および回動規制体３１の断面形状は非円形状であればよく、例えば十文字状やＤ字状に形成することができる。ロック歯２５・２６は必ずしも上下に噛み合う必要はなく、周方向に噛み合う形態を採ることができる。軸状突起３３に金属製のスリーブをインサート固定して規制穴３７を形成することができ、その場合には傾動規制体２１とスリーブとの間で回転摩擦を吸収できる。傾動規制体２１を穴で形成し、被規制部３７を軸で形成してもよい。
【図面の簡単な説明】
【図１】リールロック機構をロック解除した状態での縦断面図である。
【図２】テープカートリッジの横断平面図である。
【図３】リールロック機構の分解断面図である。
【図４】図２におけるＡ−Ａ線断面図である。
【図５】図４におけるＢ−Ｂ線矢示図である。
【符号の説明】
１  本体ケース
１ａ  上ケース
１ｂ  下ケース
２  リール
３  テープ
１１  リールボス
１７  解除ピン
２１  傾動規制軸
２２  ガイド体
２３  リール押さえ
２４  ばね
２５  ロック歯
２６  ロック歯
３３  軸状突起
３７  被規制部
【図１】
2004288302.tif 000003
【図２】
2004288302.tif 000004
【図３】
2004288302.tif 000005
【図４】
2004288302.tif 000006
【図５】
2004288302.tif 000007